(57)【要約】  基地局は、後続の応答が類似の予測期間を有するグループへポーリング・グループを組織する。ある実施例において、予測期間は、ポーリングされることになっている装置によって提供される。別の実施例では、予測期間は、ポーリングされることになっている装置からの過去の応答に基づく。【特許請求の範囲】
【請求項１】
電子装置からの後続の送信の予測期間を示すデータを送信するために適合した前記電子装置を含む装置。
【請求項２】
前記電子装置は、トレーニング・ポーリングに応答して、前記データを送信するために適合していることを特徴とする請求項１記載の装置。
【請求項３】
前記電子装置は、データ・ポーリングに応答して、前記データを送信するために適合していることを特徴とする請求項１記載の装置。
【請求項４】
前記電子装置は、ワイヤレスのモバイル装置を含むことを特徴とする請求項１記載の装置。
【請求項５】
前記装置は、
コンピューティング・プラットフォームと、
前記コンピューティング・プラットフォームに結合されたアンテナと、
を含むことを特徴とする請求項１記載の装置。
【請求項６】
前記装置は、前記コンピューティング・プラットフォームと前記アンテナとの間に結合された変復調装置をさらに含むことを特徴とする請求項５記載の装置。
【請求項７】
第１電子装置を含む装置において、前記第１電子装置は、
データ送信のための類似の予測期間を有するグループへ複数の第２電子装置をグループ化し、
前記グループ内の前記第２電子装置へ実質的に同時にポーリングを送信する、
ために適合したことを特徴とする装置。
【請求項８】
前記第１電子装置は、前記グループ内の前記第２電子装置から前記データ送信を実質的に同時に受信するためにさらに適合していることを特徴とする請求項７記載の装置。
【請求項９】
前記第１電子装置は、前記グループ内のワイヤレス装置へ肯定応答を実質的に同時に送信するためにさらに適合していることを特徴とする請求項７記載の装置。
【請求項１０】
前記第１電子装置は、別のグループ内の他の第２電子装置へポーリングを実質的に同時に送信するためにさらに適合していることを特徴とする請求項７記載の装置。
【請求項１１】
前記第１電子装置は、前記第２電子装置からの送信において前記予測期間を受信するためにさらに適合していることを特徴とする請求項７記載の装置。
【請求項１２】
前記第１電子装置は、前記第２電子装置から以前に受信した送信の期間に基づいて前記予測期間を決定するためにさらに適合していることを特徴とする請求項７記載の装置。
【請求項１３】
前記装置は、
コンピューティング・プラットフォームと、
前記コンピューティング・プラットフォームに結合された少なくとも４本のアンテナと、
を含むことを特徴とする請求項７記載の装置。
【請求項１４】
前記装置は、前記コンピューティング・プラットフォームと前記少なくとも４本のアンテナとの間に結合された少なくとも４台の変復調装置をさらに含むことを特徴とする請求項１３記載の装置。
【請求項１５】
複数の電子装置を、後続の送信の予測期間が第１値の特定の範囲内のインディケータを有する第１グループ、および、後続の送信の予測期間が第２値の特定の範囲内のインディケータを有する第２グループへ、組織する段階と、
前記第１グループの前記電子装置へデータ・ポーリングを実質的に同時に送信する段階と、
前記第１グループの前記電子装置へデータ・ポーリングを送信する前記段階に続いて、前記第２グループの前記電子装置へ実質的に同時に送信する段階と、
を含むことを特徴とする方法。
【請求項１６】
前記組織する段階に先立って、前記電子装置から送信中の前記予測期間の前記インディケータを受信する段階をさらに含むことを特徴とする請求項１５記載の方法。
【請求項１７】
前記組織する段階に先立って、前記電子装置から以前に受信した送信期間に基づいて、前記予測期間のための前記インディケータを決定する段階をさらに含むことを特徴とする請求項１５記載の方法。
【請求項１８】
後続の送信期間のインディケータを送信することを含むことを特徴とする方法。
【請求項１９】
トレーニング・ポーリングに応答して前記インディケータを送信する段階をさらに含むことを特徴とする請求項１８記載の方法。
【請求項２０】
データ・ポーリングに応答して前記インディケータを送信する段階をさらに含むことを特徴とする請求項１８記載の方法。
【請求項２１】
命令を提供する機械読取り可能な媒体であって、処理プラットフォームによって実行される場合、前記処理プラットフォームは、
複数の電子装置を、後続の送信の予測期間が第１値の特定の範囲内のインディケータを有する第１グループ、および、後続の送信の予測期間が第２値の特定の範囲内のインディケータを有する第２グループへ、組織し、
前記第１グループの前記電子装置へデータ・ポーリングを実質的に同時に送信し、
前記第１グループの前記電子装置へデータ・ポーリングを送信する前記段階に続いて、前記第２グループの前記電子装置へ実質的に同時に送信する、
ことを特徴とする機械読取り可能な媒体。
【請求項２２】
前記組織する段階に先立って、前記電子装置から送信中の前記予測期間の前記インディケータを受信することをさらに含むことを特徴とする請求項２１の媒体。
【請求項２３】
前記組織する段階に先立って、前記電子装置から以前に受信した送信期間に基づいて、前記予測期間のための前記インディケータを決定することをさらに含むことを特徴とする請求項２１の媒体。
【請求項２４】
命令を提供する機械読取り可能な媒体であって、処理プラットフォームによって実行される場合、前記処理プラットフォームは、
後続の送信期間のインディケータを送信する、
ことを特徴とする機械読取り可能な媒体。
【請求項２５】
トレーニング・ポーリングに応答して前記インディケータを送信することをさらに含むことを特徴とする請求項２４の媒体。
【請求項２６】
データ・ポーリングに応答して前記インディケータを送信することをさらに含むことを特徴とする請求項２４の媒体。
【発明の詳細な説明】
【技術分野】
【０００１】
本発明は、応答の長さによるＳＤＭＡポーリング・グループの配置に関する。
【背景技術】
【０００２】
ワイヤレス・データ通信システムは、帯域幅の増加を求める要求に常に置かれており、その問題に対処するために、複数の装置に単一チャンネルを共有させることにより単一基地局と通信できる様々な技術が開発されている。そのような技術の１つは、モバイル装置が基地局から十分に異なった方角に位置している場合、基地局は同じ周波数上で同時に複数のモバイル装置と個別の信号を送受信することができる。基地局からの送信については、異なる信号が空間分離アンテナ（separate spaced-apart antenna）の各々から同時に送信され、結合された送信が方向付けられる、つまり、各モバイル装置用に向けられた信号は、そのモバイル装置の方向に対しては比較的強く、他の方角には比較的弱い。同様の方法で、基地局は、各々の空間分離アンテナを通って複数の独立したモバイル装置からの結合した信号を同時に同じ周波数上で受信し、その受信に方向性があるので、適切な信号処理を施すことにより、複数のアンテナから受信した結合信号を各モバイル装置からの個別信号に分離することができる。
【０００３】
ＩＥＥＥ  ８０２．１１（ＩＥＥＥは電気電子学会の頭文字であり、ニューヨーク州ニューヨーク市パーク・アベニュー３  １７階に所在）のような現在作成途上にある仕様書において、各モバイル装置は、可変長のデータ・ブロックを送信し、次に、基地局がデータ・ブロックを受信したことを示すために基地局からの肯定応答（Acknowledgement）用データ・ブロックの後の予め定めるタイムアウト期間の間待機する。基地局が同じ周波数上で送信しかつ受信する場合、その事実は基地局が同時に送信し受信することを排除してもよく、その結果、肯定応答を送信する前に、すべての着信データ・ブロックが完了するまで基地局は待機する。しかしながら、データ・ブロックが可変長であるので、基地局が別のモバイル装置から長いデータ・ブロックを依然として受信している間、短いデータ・ブロックを送るモバイル装置は肯定応答のタイムアウト（時間切れ）を経験することになる。短いデータ・ブロックに生じる不必要な再送信は、データ通信全体を非効率にさせ、ある状況下ではサービスの中断を引き起こすことになる。
【０００４】
本発明は、下記記述および本発明の実施例を図示するために使用される添付図面を参照することにより理解されるであろう。
【発明の開示】
【０００５】
下記記述では、多くの特定の詳細事項が述べられる。しかしながら、本発明の実施例は、これらの特定の詳細事項がなくても実施できることを理解すべきである。他の実施例では、周知の方法、構造および技術は、この記述の理解を不明瞭にしないために詳細には示されていない。
【０００６】
「一実施例」、「実施例」、「実施の例」、「様々な実施例」などの表示は、本発明の実施例が特定の機能、構造または特性を含むが、あらゆる実施例がその特定の機能、構造または特性を必ず含んでいるとは限らないことを示す。さらに、「ある実施例において」なる句の繰り返しの使用は必ずしも同じ実施例を参照するものではない。
【０００７】
次の説明および請求項において、「結合された」、「接続された」なる用語がそれらの派生語と共に使用される。これらの用語は、互いに同義語として意図されていないことに理解しなければならない。むしろ、特定の実施例では、「接続された」は、２またはそれ以上の要素が互いに物理的または電気的な直接の接触にあることを示すために使用されることがある。「結合された」は、２またはそれ以上の要素が物理的または電気的な直接の接触にあるか、または２またはそれ以上の要素が互いに直接の接触にはないが互いに協動して相互作用を及ぼしている状態のいずれかを意味することがある。
【０００８】
ここに使用されるように、別段の定めがない限り、共通の対象を表わす「第１」、「第２」、「第３」などの順序を示す形容詞の使用は、類似の対象の異なる例が引用されていることを単に示すに過ぎず、その対象が一時的にも、空間的に、格付的にも、あるいは他の方法においても、与えられた順序でなければならないことを意図するものではない。
【０００９】
他に特に述べられない限り、次の議論から明らかなように、「処理する」、「演算する」、「計算する」などのような用語を利用する議論は、明細書全体にわたって、コンピュータ、コンピュータ・システムまたは類似の電子計算機装置の動作または処理に関連するものであり、それは電子、量子などの物理量として表わされるデータを物理量として同じように表わされる他のデータへ操作または変換することとして理解される。
【００１０】
同様に、「プロセッサ」なる用語は、任意の装置またはレジスタおよび／またはメモリからの電子データを処理し、その電子データをレジスタおよび／またはメモリに格納できる他の電子データに変形するあらゆる装置または装置の一部に関するものである。「コンピューティング・プラットフォーム」は、１またはそれ以上のプロセッサを含んでいてもよい。
【００１１】
この文書の内容において、用語「ワイヤレス」およびその派生語は、回路、装置、システム、方法、技術、通信チャンネルなどを表し、それは非固体の媒体を経由し変調された電磁放射の使用を通じてデータを通信する。その用語は、関連する装置がいかなる有線をも含まないことを暗示するものではなく、いくつかの実施例において含まれていないだけである。
【００１２】
共通の産業用語に準拠して、「基地局」、「アクセス・ポイント」、および「ＡＰ」なる用語は、複数の他の電子装置とワイヤレスにかつ同時に通信することができる電子装置を記述するために互換的に使用されるものであり、「モバイル装置」および「ＳＴＡ」なる用語は、移動が要件ではないが、移動しても依然として通信する能力を有するこれら複数の他のあらゆる電子装置を表わすために互換的に用いられる。しかしながら、本発明の範囲は、これらの用語が付された装置に制限されるものではない。同様に、「空間分割多重接続」なる用語およびＳＤＭＡは互換的に使用される。ここに使用されるように、これらの用語は、異なる信号がアンテナの組合せによって同じ装置から実質的に同時に送信され、その結果その結合した送信信号は同じ周波数上で実質的に異なる方向へ異なる装置に向けて送信される異なる信号となるあらゆる通信技術を、および／または、異なる信号が同じ周波数で複数のアンテナを通して異なる方向の異なる装置から実質的に同時に受信され、かつその異なる信号が適切な処理を通して互いに分離される技術を包含するように意図される。「同じ周波数」なる用語は、ここに使用される場合、帯域幅許容差、ドップラーシフト順応、パラメータ・ドリフトなどによる正確な周波数からの僅かの変分を含んでいてもよい。異なる装置への各送信の少なくとも一部が同時に生じる場合、異なる装置への２またはそれ以上の送信は実質的に同時であると考えられるが、異なる送信が同時に開始しおよび／または終了しなければならないことを暗示するものではない。同様に、異なる装置からの各受信の少なくとも一部が同時に生じる場合、異なる装置からの２またはそれ以上の受信は実質的に同時であると考えられるが、異なる送信が同時に開始しおよび／または終了しなければならないことを暗示するものではない。ＳＤＭＡなる用語に使用される単語における相違は、他の単語によってしばしば使用されることがあり、例えば、「空間の」の代わりに「空間」を、あるいは「分割」の代わりに「ダイバーシティ」を用いることに制限されることはない。本発明の様々な実施例の範囲は、用語のそのような差を包含するものと意図される。
【００１３】
本発明のいくつかの実施例は、特定のポーリング・グループにおけるモバイル装置が類似の送信期間を有し、したがって、その送信が互いに定義された時間範囲内に終了するようにポーリング・グループを配置し、それによって、モバイル装置が肯定応答のタイムアウトになる公算を減少させる。特定の実施例では、各モバイル装置は、その後続における送信の予測期間を示す表示を送信することがあり、その結果、基地局は、それらの後続の送信をポーリングする前にモバイル装置を類似の送信長を有するポーリング・グループに配置する。別の特定の実施例では、基地局は、同じモバイル装置からの後続の送信期間の予測として前回の送信長を用いることがある。
【００１４】
図１は、本発明の実施例に従う通信ネットワークのダイヤグラムを示す。ＳＤＭＡベースのネットワークを図示する実施例は、ＡＰから異なる方向に位置する複数のＳＴＡ１３１−１３４と通信することができるＡＰ１１０を示す。一度に４台までのＳＴＡと通信するための４本のアンテナ１２０を有するＡＰ１１０が示されるが、他の実施例では他の配列をしてもよい。いくつかの実施例では、ＳＴＡは固定された位置に置かれてもよいが、他の実施例では、少なくともＳＴＡの何台かが通信シーケンス中および／または間に移動してもよい。いくつかの実施例では、ＡＰ１１０は固定された位置に置かれてもよいが、他の実施例では、ＡＰ１１０は移動可能であってもよい。基地局とモバイル装置との間の通信は、ここに記述された技術に従うことができる。
【００１５】
図２Ａは、トレーニング開始時刻ＴＳＴからトレーニング終了時刻ＴＥＴにおよぶトレーニング・フェーズを示し、その期間中にいくつかの基地局（ＡＰ）からトレーニング・ポーリング（Ｔｒポーリング）がモバイル装置（ＳＴＡ）に各々送られ、モバイル装置はＡＰにトレーニング応答（Ｒｅｓｐ）および後続の送信予測期間（ＰＤ）を送ることにより応答する。例として、図示する実施例は、特にこのトレーニング・フェーズ中における５台のＳＴＡを示が、本発明の範囲はこの台数に制限されるものではない。図示する各ＳＴＡｘに対して、そのＳＴＡへのトレーニング・ポーリングはＴｒ Ｐｏｌｌｘとして示され、一方そのＳＴＡからの予測長はＰＤｘとして示される。各送信および受信は、フレーム間スペース（ＩＦＳ：interframe space）によって時間的に分離して示されているが、本発明はこの点に関して制限されることはない。フレーム間スペースは、通信シーケンス中に「アイドルタイム」期間を許容するものであるが、それは次のことに用いられることがある、すなわち、１）異なる装置中で使用されるクロック中の許容しうるタイミング差、２）次の送信または受信前に設ける必要のある処理時間、３）送信モードから受信モードへ、または受信モードから送信モードへトランシーバを切り換える時間、４）などであるが、これらに制限されるものではない。フレーム間スペースは、一定の期間であってもよく、また通信シーケンス中の配置に依存して異なる期間であってもよい。図示する実施例では、単一のＳＴＡは一つのポーリングに応答し、その後次のＳＴＡがポーリングされ応答するが、本発明の様々な実施例は他の技術を使用してもよい。いくつかの実施例では、各ポーリングは、全方向に送信され、その結果、範囲内のすべてのＳＴＡはトレーニング・ポーリングを受信するが、アドレスされたものだけがそれに応答してもよい。しかしながら、本発明の様々な実施例はこの点に関して制限されることはない。
【００１６】
各トレーニング応答はＡＰに既知の内容を備えた送信であり、その結果ＡＰは特定のＳＴＡとの後続の通信に必要とされるＳＤＭＡパラメータを決定することができる。ＡＰは、これらのパラメータを導き出すために受信したトレーニング応答を処理し、その後、現在既知のあるいは開発した技術を用いて、後続の通信シーケンスにおいてその特定のＳＴＡとの方向性通信を可能にするパラメータを使用する。
【００１７】
ＰＤは、ＳＴＡによってＡＰへ送られる次の送信の予測期間である。いくつかの動作では、期間が知られているので、次の送信は既にＳＴＡの中で待ち状態になる。他の動作では、その期間は様々な基準を使用して推定されるべきであるかもしれない。もし他に述べられない場合、「予測期間」という用語は、既知および推定された期間を包含するものとしてここに使用される。いくつかの実施例では、ＳＴＡからの送信は、複数の独立して証明可能なブロックを含み、また、予測期間は、トレーニング応答とは異なるブロックにあってもよいが、本発明はこの点に関して制限されることはない。
【００１８】
いくつかの実施例では、予測期間は時間の期間として直接表現されることがあるが、他の実施例は他の方法（例えばデータの量、時間に変換することができる間接的な表示など）で予測期間を表現してもよい。いくつかの実施例では、表現された予測期間の単位は、ＡＰによって既に知られているが、他の実施例は他の技術（例えば、ＳＴＡは、これらの単位で表現された予測期間と共にその単位を指定してもよい）を使用する。予測期間は、任意の実現可能な精度（例えばマイクロ秒、バイト、予め定義されたブロック長など）を有しており、その精度は前もって決定されてもよく、予測期間と共に指定されてもよい。
【００１９】
トレーニング・フェーズは、データ・フェーズが直ちにまたは後に続く。図２Ｂは、本発明の実施例に従うデータ・フェーズを示す。トレーニング応答の処理により得られた情報の結果、ＡＰは複数方向への送信およびＡＰによる受信を許可するのに必要なパラメータを決定する。その後、これらのパラメータを使用して、ＡＰは、異なるデータ・ブロックを異なるＳＴＡへ実質的に同時に方向付けて送信し、かつ異なるデータ・ブロックを異なるＳＴＡから実質的に同時に受信する。図２Ａおよび図２Ｂで示される特定の動作で、トレーニング・フェーズは、トレーニング・フェーズにあったのと同じＳＴＡに関連するデータ・フェーズが続くが、他の動作がトレーニング・フェーズと関連するデータ・フェーズとの間の別の通信を有してもよく、および／または、直近のトレーニング・フェーズにおけるＳＴＡと異なるＳＴＡのグループに関するデータ・フェーズを開始してもよい（例えば、ＡＰは、既に１またはそれ以上の先行するトレーニング・フェーズからいくつかのＳＴＡのための関連するパラメータをすでに有していることがある）。
【００２０】
様々なＳＴＡからの後続のデータ応答の予測期間を学習した結果として、ＡＰは、グループ中のすべてのＳＴＡがそれらのデータ応答のために類似の予測期間を具備するポーリング・グループを形成することができる。特定のポーリング・グループにおけるデータ応答期間がどれくらい密接に一致しなければならないかは、様々な要因（例えば、グループ等におけるＳＴＡのための肯定応答タイムアウト期間）に依存する。図２Ｂで図示された例では、ＳＴＡ１，３，４は、類似の予測データ応答期間を有し、かつ第１のポーリング・グループに置かれるように決められている一方、ＳＴＡ２，５は、類似の予測データ応答期間を有し、かつ第２のポーリング・グループに置かれるように決められている。
【００２１】
図示する実施例において、ＳＴＡ１，３，４から成る第１のポーリング・グループがポーリングされる。いくつかの実施例では、ＳＤＭＡ技術を使用して、そのポーリングは方向付けてほぼ同時に送信されるが、他の実施例は他の技術（例えば、全方向性のマルチキャストが使用されてもよい）を使用してもよい。ポーリングされたＳＴＡは、データ応答時間間隔ｔ１中に応答することができる。時間ｔ１は、ＳＴＡ１，３，４からの送信中で最長のものに基づいて調整されるが、本発明の様々な実施例はこの点に制限されることはない。ある実施例において、その時間間隔は、関連する応答の予測期間に基づいて（ポーリングで指定された）ＡＰによって予め決められてもよいが、別の実施例では、その時間間隔は、ポーリングされた装置のうちの１つがまだ応答している限り継続してもよい。フレーム間スペースは、データ・ポーリングおよびデータ応答期間の前後の双方に示され、前述したのと同じ目的に役立てることができるが、本発明の範囲はこの点に制限されることはない。
【００２２】
いくつかの実施例では、応答するＳＴＡは、次の送信の予測期間を含んでいてもよいが、それは現在の送信の期間と異なってもよい。これらは、ＳＴＡ１，３，４に対してＰＬ１ａ，ＰＬ３ａ，ＰＬ４ａとしてそれぞれ示されている。予測期間がデータ送信に含まれていない場合、ＡＰは特定のＳＴＡに対する直近の予測期間が依然として正確であると仮定することができる。
【００２３】
時間ｔ１の間にＳＴＡ１，３，４からの応答が終了した後、ＡＰは、その応答が正確に受信されたことを示して、ＳＴＡ１，３，４に肯定応答を送信する。ＳＴＡ１，３，４からの応答はｔ１の終了の受理可能な時間内に終了したので、肯定応答がＡＰから受信される前に、ＳＴＡ１，３，４によって開始されたあらゆる肯定応答のタイムアウト期間も終了すべきではない。さらに、ｔ１とｔ２との間の期間内では、ＡＰは、ＳＴＡ２，５から成る第２のポーリング・グループをポーリングする。第１のポーリング・グループのための説明と同様、ＳＴＡ２，５は時間間隔ｔ２の間に応答する。前述のように、各応答は、現在の送信中のデータに加えて後続のデータ送信の予測期間を含んでいてもよい。
【００２４】
応答時間期間ｔ２の終了の後、ＡＰは、ＳＴＡ２，５からの応答に肯定応答し、さらに別のポーリング・グループをポーリングする。これは、ＳＴＡ１，３，４から成る最初のポーリング・グループであってもよい。しかしながら、ＡＰは、次のデータ・ポーリングのセットを送信する前にポーリング・グループを再配置することができる。図示された実施例において、ＡＰは、ＳＴＡ１，２，３，４，５から受信した直近の予測データ応答期間に基づいて、ポーリング・グループをダイナミックに再整理する。新しいグループでは、ＳＴＡ２，４，５は、ポーリング・グループ中に置かれる予測応答期間に十分に近接するように決定される。ＳＴＡ１，３は、共通のポーリング・グループに置かれるか、または個別のポーリング・グループ（図示せず）に置かれてもよい。いくつかの実施例では、ポーリング・グループは１台程度のＳＴＡから構成されてもよい。
【００２５】
前述された要因に加えて、ポーリング・グループは他の要因で決められることがある。例えば、予測された応答の１つ以上が受信されなかった場合、あるいは、回復不能エラーで受信された場合、ＡＰは対応するＳＴＡにＡＣＫを送らず、また、ＳＴＡは、再びポーリングされたとき、後に再送信しようと試みる。その状況に陥るポーリング・グループは、その応答のために以前の予測期間に基づいていてもよい。別の実施例では、ＳＴＡの移動によって２台のＳＴＡがＡＰから同じ方向にあるスペースへもたらされることがあり、それらがたとえ類似の予測応答期間を有していても、ＳＤＭＡ技術を使用して、同じポーリング・グループと有効に通信することができなくなる。
【００２６】
図３は、本発明の実施例に従って、基地局によって実行される動作方法のフローチャートを示す。フローチャート３００において、３１０でトレーニング・ポーリングは、あらゆる実現可能な技術を使用して、複数のＳＴＡに送信される。３２０で、ポーリングされた複数のＳＴＡからのトレーニング応答は、後続のデータ送信の予測期間と類似のＳＴＡから受信される。３１０と３２０のトレーニング・フェーズの後、様々なＳＴＡの一致から、各グループ中のＳＴＡは、互いに予め定められた範囲内にあるデータ応答期間を有するグループへ３３０で命じられる。
【００２７】
ブロック３４０は、複数のポーリング・グループをポーリングし、そのデータ応答の返信を受信する動作シーケンスのための入口点である。これがこのポーリング・グループ中のＳＴＡに対するトレーニング・フェーズ後の最初のデータ・ポーリングである場合、基地局は、３４０で、データ・ポーリングを最初のＳＴＡポーリング・グループへ送信し、３５０で、応答する各ＳＴＡからの次のデータ送信期間を予測するポーリングされたＳＴＡからのデータ応答期間と同様に、そのポーリングされたＳＴＡからデータ応答を受信する。３６０で、制御は次のポーリング・グループをポーリングするために３４０へ戻る。最初のポーリング・グループの後に、３４０で、肯定応答が前回のポーリング・グループから応答するＳＴＡへ送信される一方、３５０で、現在のポーリング・グループからのデータ応答および予測期間が受信される。あらゆるポーリング・グループは直近のトレーニング・フェーズ以降に最初にポーリングされる少なくとも１台のＳＴＡを含むとともに、その最後のトレーニング・フェーズ以降に少なくとも１つのデータ応答を送信した少なくとも１台のＳＴＡを含む。そのような場合、ＡＰは、３４０でポーリング・グループ中のＳＴＡのいくつかにＡＣＫを送信するが、他には送信しない。
【００２８】
３６０で決定されるように、ポーリング・グループすべてがこのように扱われた後、新しいトレーニング・フェーズのための時間となる場合、３７０で決定がなされる。いくつかの実施例では、新しいトレーニング・フェーズは規則的な間隔で繰り返されるが、その間隔はＳＴＡがＡＰから異なった空間方向へ速く移動し、それにより新しいＳＤＭＡパラメータの計算が必要とされる最悪ケースの推定に基づいてもよいが、これに制限されるものではない。他の実施例では、新しいトレーニング・フェーズの必要性は、他の状況（例えば、悪化する信号品質、ＡＰの帯域幅制限など）に基づくことがある。新しいトレーニング・フェーズが必要な場合、制御は上述したプロセスを繰り返すために３１０へ戻る。新しいトレーニング・フェーズが必要でない場合、制御は３３０へ戻るが、ＳＴＡが再編成される場合、データ応答期間および／または他の考察に対する直近の予測に基づき必要とされる再グループ化が行なわれ、その後、３４０，３５０，３６０のループが繰り返される。
【００２９】
図３の実施例はポーリング・グループがすべてポーリングされた後だけに行なわれる新しいトレーニング・フェーズのための決定を示すが、他の実施例が他の技術（例えば、新しいトレーニング・フェーズがあらゆるポーリング／応答シーケンスの後に開始される）を使用してもよい。与えられたトレーニング・フェーズは、様々なポーリング・グループに現在含まれたＳＴＡのすべて、または部分集合のみを含んでいてもよく、また、現在のポーリング・グループのいずれにも含まれていない新しいＳＴＡを含めてもよい。
【００３０】
図４は、予測期間がＳＴＡによって供給された予測期間からではなく過去の送信期間からＡＰによって期間が決定される別の実施例のフローチャートを示す。図２Ｂのタイミング・ダイヤグラムが参考のために再び用いられるが、図２Ｂの詳細は図４の動作範囲を制限するものとして解釈されるべきではない。フローチャート４００では、４１０で、最初のポーリングのグループ化があらゆる実現可能な方法で決定される。４２０で、特定のポーリング・グループ中のＳＴＡは、このグループ化（図２Ｂの例ではＳＴＡ１，３，４）に基づいて共にポーリングされる。このポーリング・グループのＳＴＡからの応答が４３０で受信された後、各ＳＴＡからの次の応答の予測期間は、そのＳＴＡから受信した応答の実際の期間に基づいて、４４０で決定される。いくつかの実施例では、ＳＴＡから受信した最後の応答の期間は、そのＳＴＡからの次の応答の予測期間であると判断される。他の実施例では、他の技術が使用されてもよい（例えば、最後のいくつかの応答期間の平均が使用されてもよく、また、統計値が異なるタイプの応答期間に維持されていてもよく、さらに、次の応答のタイプがどの統計値が使用されるべきかを決める、など。）。４５０で判断されるように、全てのポーリング・グループがポーリングされ、かつ応答した後、適切なＳＴＡがＳＴＡのための直近の予測応答期間に基づいて、再グループ化され、また、ポーリングが４２０で再開する。前述したように、予測期間以外の要因もポーリング・グループを決定するために使用されてもよい。さらに、前述したように、新しいトレーニング・フェーズがあらゆる実現可能な理由でいつでも実行されてもよい。
【００３１】
図５は、本発明の実施例に従う基地局のブロック図を示す。コンピューティング・プラットフォーム５５０は、１またはそれ以上のプロセッサを含んでいてもよく、１またはそれ以上のプロセッサの少なくとも１つはデジタル信号プロセサ（ＤＳＰ）である。図示された実施例では、ＡＰ１１０は４本のアンテナ１２０を有するが、他の実施例では、２本、３本または４本を超えるアンテナを有してもよい。各アンテナについては、ＡＰ１１０は、変復調器５２０、アナログ・デジタル変換器（ＡＤＣ）５３０およびデジタル・アナロク変換器（ＤＡＣ）５４０を具備する。復調器−ＡＤＣの組合せは、アンテナから受信した無線周波数信号をコンピューティング・プラットフォーム５５０によって処理するのに適しているデジタル信号に変換する。同様に、ＤＡＣ−変調器の組合せは、コンピューティング・プラットフォーム５５０からのデジタル信号をアンテナによる送信に適する無線周波数信号に変換する。図示されない他のコンポーネントは、必要に応じて図示されたブロック内に含まれているが、増幅器、フィルタ、発振器、ここでは１つだけが示されるが、複数のコンポーネントの使用に制限されることはない。
【００３２】
図６は、本発明の実施例に従うモバイル装置のブロック図を示す。モバイル装置１３１に図示するコンポーネントは、図６に同様の名称が付されたコンポーネントと機能的に類似するコンピューティング・プラットフォーム６５０、アンテナ６２１、変復調器６２０、ＡＤＣ６３０およびＤＡＣ６４０を含むが、図６の装置は、単一のアンテナ／変復調器／ＡＤＣ／ＤＡＣの組合せで示され、また、コンピューティング・プラットフォーム６５０は、基地局よりむしろモバイル装置用に前述された動作を行なうが、本発明の様々な実施例はこれらの関係に制限されることはない。
【００３３】
前出した記述は、実施例のために意図されており、制限的なものではない。当業者による変更が行なわれ得る。これらの変更は、本発明の様々な実施例に含まれると意図され、それは添付された請求項の思想および範囲によってのみ制限される。
【図面の簡単な説明】
【００３４】
【図１】本発明の実施例に従って、通信ネットワークのダイヤグラムを示す。
【図２Ａ】本発明の実施例に従って、基地局および複数のモバイル装置を連携する通信シーケンスのタイミング・ダイヤグラムを示す。
【図２Ｂ】本発明の実施例に従って、基地局および複数のモバイル装置を連携する通信シーケンスのタイミング・ダイヤグラムを示す。
【図３】本発明の実施例に従って、通信方法のフローチャートを示す。
【図４】本発明の実施例に従って、別の通信方法のフローチャートを示す。
【図５】本発明の実施例に従って、基地局のブロック図を示す。
【図６】本発明の実施例に従って、モバイル装置のブロック図を示す。
【図１】
2007502076.tif 000002
【図２Ａ】
2007502076.tif 000003
【図２Ｂ】
2007502076.tif 000004
【図３】
2007502076.tif 000005
【図４】
2007502076.tif 000006
【図５】
2007502076.tif 000007
【図６】
2007502076.tif 000008
【国際調査報告】
2007502076.tif 000009
2007502076.tif 000010
2007502076.tif 000011